(57)【要約】      （修正有）【課題】設置、収納に空間を占めることなく、簡易な操作で好ましい運動の効果が得られ、リハビリテーションにも応用できる運動器を提供する。【解決手段】上面に２本のスリーブを立設してなるベースと、下部管体３４と弾性部材３３と弾性体カバー３２と上部管体３１とによって構成し、下部管体は一端を直径の狭い挿入端とし、他端に螺刻してネジ山を形成し、上部管体は一端に複数の位置決め孔３１２を穿設し、端面を挿入開口端とし、他端に螺刻してしてなる弾性支柱と、管体をコの字状に折り曲げてなり、水平部の支持部に支持部カバーを挿入し、該支持部の両端縁部から下方に延伸し、所定の角度で折り曲げた両端縁部を挿入端とし、該挿入端に挿入孔を穿設し、内部には該挿入孔と任意の位置決め孔を貫通して一端が外部に露出する高さ調整ピンが一体に形成され、かつ弾性を具える位置決め部材を設けてなるコの字状フレーム２と、によって構成する。【選択図】図２
0003104572.tif 000002
【実用新案登録請求の範囲】
【請求項１】
上面に２本のスリーブを立設してなるベースと、
下部管体と、弾性部材と、弾性体カバーと、上部管体とによって構成し、該下部管体は、一端の外周面に段差を形成して直径を短くして該ベースに立設するスリーブに嵌挿する挿入端とするとともに、他端に螺刻してネジ山を形成し、かつ該上部管体は一端に軸方向に沿って複数の位置決め孔を穿設し、端面を挿入開口端とするとともに、他端に螺刻してネジ山を形成してなる弾性支柱と、
管体をコの字状に折り曲げて形成してなり、水平部を支持部とし、かつ適宜な間隔を置いて複数の支持部カバーを挿入し、該支持部の両端縁部から下方に延伸し、所定の角度で折り曲げてなる両端縁部をそれぞれ該弾性支柱の上部管体の挿入開口端に嵌挿する挿入端とし、さらに、該挿入端の壁面に挿入孔を穿設するとともに、該挿入端内には該挿入孔と上部管体の任意の位置決め孔を貫通して一端が外部に露出する高さ調整ピンが一体に形成され、かつ弾性を具える位置決め部材を設けてなるコの字状フレームと、を具えてなることを特徴とする運動器。
【請求項２】
前記ベースは、ベースプレートと、該ベースプレートの両側面にそれぞれ接続する側面板とによってなり、該側面板の側面で、該ベースプレートの側面に当接する面には、嵌合部を形成し、該ベースプレート側面の該側面板の嵌合部に対応する位置には、嵌合溝を形成して該嵌合部の嵌合に供し、該側面板の略中央の位置に、中空で貫通孔を穿設した突起状部を一体に形成に形成し、さらに、該側面板には金属材によってなる支持板を内設するとともに、底面には底面カバーを設け、該支持板には該側面の突起状部に対応する位置に突起状の取り付け座を形成し、該取り付け座の内部に貫通孔を穿設してナットを設け、該スリーブの一端を該ナットに螺合させて立設することを特徴とする請求項１に記載の運動器。
【請求項３】
前記ベースは左右２枚のベース板を回動自在に連結してなり、かつそれぞれのベース板は固定座と、該固定座に回動自在に設ける固定リングと、該固定リングに設ける固定バンドと具え、さらに、該コの字状フレームには支持部の略中央の位置に、水平のグリップ部と、該グリップ部に対して垂直に連結する連結桿とによって構成されるＴ字状のハンドル部の一端を連結することを特徴とする請求項１に記載の運動器。
【考案の詳細な説明】
【技術分野】
【０００１】
この考案は、運動器に関し、特に室内に設置して、腰、及び下肢を中心とした部分の運動を行う運動器に関する。
【背景技術】
【０００２】
如何にして自己の健康を管理して、好ましい状態を保つかは、人々の目標である。但し、目めまぐるしい社会にあって仕事をしていると、余暇を利用して屋外で運動することが少なくなる。このため、室内で利用できる。  一般に、室内用の運動器材には、実際の運動をシミュレートしたものがある。例えば、ボート漕ぎ、自転車のペダル漕ぎ、もしくはジョギングなどを模した動作を行うものである。但し、このための運動器材は、通常体積がかなりのものになり、一般の家庭では、設置するだけの十分な空間が取れない。しかも、かかる運動器材は、特定の動作を行うため、身体の一部の鍛錬を目的としているだけである。したがって、これら従来の運動器材は消費者のニーズに適ったものとはいえず、従来の運動器材の欠点を改善する新規な運動器材の開発が望まれている。
【考案の開示】
【考案が解決しようとする課題】
【０００３】
この考案は、身体の多数の部位の運動に応用でき、好ましい運動の効果が得られる運動器を提供することを課題とする。
【０００４】
また、この考案は設置、収納に空間を占めることなく、取り扱いやすい運動器を提供することができる。
【０００５】
また、この考案は、リハビリテーションに応用でき、かつ患者自身で容易に取り扱うことができ、随時運動を行うことのできる運動器を提供することを課題とする。
【課題を解決するための手段】
【０００６】
そこで、本考案者は従来の技術に見られる欠点に鑑み鋭意研究を重ねた結果、ベースの両端縁部に弾性支柱をそれぞれ立設し、該弾性支柱にコの字状フレームを連結してなる運動器の構造によって課題を解決できる点に着眼し、かかる知見に基づいて本発明を完成させた。
【０００７】
以下、この考案について具体的に説明する。
請求項１に記載する運動器は、上面に２本のスリーブを立設してなるベースと、
下部管体と、弾性部材と、弾性体カバーと、上部管体とによって構成し、該下部管体は、一端の外周面に段差を形成して直径を短くして該ベースに立設するスリーブに嵌挿する挿入端とするとともに、他端に螺刻してネジ山を形成し、かつ該上部管体は一端に軸方向に沿って複数の位置決め孔を穿設し、端面を挿入開口端とするとともに、他端に螺刻してネジ山を形成してなる弾性支柱と、
管体をコの字状に折り曲げて形成してなり、水平部を支持部とし、かつ適宜な間隔を置いて複数の支持部カバーを挿入し、該支持部の両端縁部から下方に延伸し、所定の角度で折り曲げてなる両端縁部をそれぞれ該弾性支柱の上部管体の挿入開口端に嵌挿する挿入端とし、さらに、該挿入端の壁面に挿入孔を穿設するとともに、該挿入端内には該挿入孔と上部管体の任意の位置決め孔を貫通して一端が外部に露出する高さ調整ピンが一体に形成され、かつ弾性を具える位置決め部材を設けてなる。
【０００８】
請求項２に記載する運動器は、請求項１におけるベースが、ベースプレートと、該ベースプレートの両側面にそれぞれ接続する側面板とによってなり、該側面板の側面で、該ベースプレートの側面に当接する面には、嵌合部を形成し、該ベースプレート側面の該側面板の嵌合部に対応する位置には、嵌合溝を形成して該嵌合部の嵌合に供し、該側面板の略中央の位置に、中空で貫通孔を穿設した突起状部を一体に形成に形成し、さらに、該側面板には金属材によってなる支持板を内設するとともに、底面には底面カバーを設け、該支持板には該側面の突起状部に対応する位置に突起状の取り付け座を形成し、該取り付け座の内部に貫通孔を穿設してナットを設け、該スリーブの一端を該ナットに螺合させて立設する。
【０００９】
請求項３に記載する運動器は、請求項１におけるベースが左右２枚のベース板を回動自在に連結してなり、かつそれぞれのベース板は固定座と、該固定座に回動自在に設ける固定リングと、該固定リングに設ける固定バンドと具え、さらに、該コの字状フレームには支持部の略中央の位置に、水平のグリップ部と、該グリップ部に対して垂直に連結する連結桿とによって構成されるＴ字状のハンドル部の一端を連結する。
【考案の効果】
【００１０】
本考案の運動器は、設置、収納に空間を占めることなく、かつ簡易な操作で随時運動を行うことができるという利点がある。
【００１１】
また、本考案の運動器は、車椅子に乗った状態で下肢のリハビリテーションを行うことができ、簡易な操作で筋肉の萎縮を防ぎ、脊髄と下肢の神経を刺激して徐々に筋肉を活性化させて、リハビリテーションの目的を達成できるという利点がある。
【考案を実施するための最良の形態】
【００１２】
この考案は、室内に設置して、腰、及び下肢を中心とした部分の運動を行う運動器を提供するものであって、弾性体を押圧して湾曲させ、該弾性体の付勢力を利用して運動の効果を得るという目的を、実現した。即ち、ベースの両端縁部に弾性支柱をそれぞれ立設し、該弾性支柱にコの字状フレームを連結して運動器を構成する。
係る構成の運動器について、その構造と特徴を詳述するために具体的な実施例を挙げ、以下に説明する。
【実施例１】
【００１３】
この考案による運動器は、図１、２に開示するように、ベース（１）と、該ベースの両端縁部に立設した弾性支柱（３）と、両弾性支柱（３）に両端縁部を接続するコの字状フレーム（２１）とによって構成する。
【００１４】
ベース（１）は、ベースプレート（１１）と、該ベースプレート（１１）の両側面に嵌着する側面板（１２）とによってなり、側面板（１２）に弾性支柱（３）をそれぞれ立設し、それぞれの弾性支柱（３）にコの字状フレーム（２）を接続する。該側面板（１２０）の側面で、ベースプレート（１２）の側面に当接する面には、嵌合部（１２０）を形成する。また、ベースプレート（１１）の側面の該側面板（１２）に形成する嵌合部（１２０）に対応する位置には、嵌合溝（１１０）を形成して該嵌合部（１２０）の嵌合に供する。
【００１５】
側面板（１２）は略中央の位置に、中空で貫通孔を穿設した突起状部（１２１）を一体に形成に形成する。また、側面板（１２）には支持板（１３）を内設する（図４参照）とともに、底面には底面カバー（１２２）を設ける。該支持板（１３）は金属材によってなり、ベース（１）全体を安定させる作用を有する。また支持板（１３）には、該側面（１２）の突起状部（１２１）に対応する位置に、例えばプレス加工などの方法を利用取り付け座（１３０）を一体に形成する。取り付け座（１３０）は突起状を呈し、内部に貫通孔（１３２）を穿設し、該貫通孔（１３２）内にナット（１３１）を溶着する。さらに、突起状部（１２１）には、スリーブ（１４）を設ける。
【００１６】
該スリーブ（１４）は中空の筒体であって、上端を挿入開口端（１４１）として弾性支柱（３）の嵌挿に供するとともに、下端縁部の外周面に螺刻してネジ山（１４０）を形成し、該ネジ山（１４０）をナット（１３２）に螺合させて側面板（１２）に固定する。
【００１７】
弾性支柱（３）は、下部管体（３４）と、弾性部材（３３）と、弾性体カバー（３２）と、上部管体（３１）とによって構成する。弾性部材（３３）は、好ましくはコイルばねを用いる。下部管体（３２）は、一端の外周面に段差を形成して直径を短くし、該スリーブ（１４）に嵌挿する挿入端（３４２）とするとともに、他端に螺刻して、ネジ山（３４１）を形成する。上部管体（３１）は一端をコの字状フレーム（２）の一端の挿入に供する挿入開口端（３１０）とし、他端に螺刻して、ネジ山（３１１）を形成する。
【００１８】
弾性支柱（３）を側面板（１２）に立設ける場合は、下管体（３４）の挿入端（３４２）を側面板（１２）に設けたスリーブ（１４）に嵌挿し、予め弾性体カバー（３２）に挿入した弾性体（３３）の一端に下部管体（３４）のネジ山（３４１）を形成した一端を螺合させる、さらに上部管体（３１）のネジ山（３１１）を形成した一端を弾性体（３）の他端に螺合させる。
【００１９】
弾性体カバー（３２）は、発泡体などの材料によってなる中空の管体であって、両端がそれぞれ上部管体（３１）と下部管体（３４）に延伸し、その一部を被覆するだけの長さとする。また、弾性体（３３）は、実施例においてコイルバネを用いるが、例えばゴム性の弾性板などの付勢力を提供できるその他弾性体であってもよい。
【００２０】
コの字状フレーム（２）は、管体をコの字状に折り曲げて形成する。その水平部を支持部（２１）とし、該支持部（２０）の両端縁部から下方に延伸し、さらに所定の角度で折り曲げた両端縁部をそれぞれ上部管体（３１）の挿入開口端（３１０）に嵌挿する挿入端（２０）とし、する。また、該支持部（２１）には、適宜な間隔を置いて複数の支持部カバー（２１０）を挿入する。
【００２１】
また、コの字状フレームは、弾性支柱（３）に対して高さを自在に調整できるように設ける。即ち、図３に開示するように、挿入端（２０）壁面に挿入孔（２２）を穿設し、挿入端（２０）内には断面がＶ字状を呈し、かつ高さ調整ピン（４１）が一体に形成された位置決め部材（４）を設けるとともに、支持支柱（３）の上部管体（３１）には、該高さ調整ピン（４１）に対応する位置に、軸方向に沿って複数の位置決め孔（３１２）を穿設する。位置決め部材（４）は弾性を有する材質によってなり挿入端（２０）の内壁に固定する固定部（４３）と、一端に高さ調整ピンが（４１）一体に形成された弾性可動部（４２）を具えてなり、高さ調整ピン（４１）は、該挿入孔（２２）と上部管体（３１）の位置決め孔（３１２）を貫通して一端が外部に露出する。コの字状フレーム（２）の高さを調整する場合は、外部に露出した高さ調整ピン（４１）の一端を押し圧し、任意の位置の位置決め孔（３１２）を選択してコの字状フレーム（２）を移動させると、位置決め部材（４）の付勢力によって高さ調整ピン（４１）が選択された位置決め孔（４）を貫通し、コの字状フレーム（２）の高さが調整される。したがって、使用者の身長、座高などに合わせて健康器の高さを自在に調整することができる。
【００２２】
上述の構造による健康器を使用する場合、例えば図５に開示するように、使用者はベース（１）の左右側面板（１２）上に立って、コの字状フレーム（２）の支持部（２１）の支持部カバー（２１０）によって被覆された部分を握って姿勢を前かがみにし、身体を起こす。かかる動作を反復して行うことによって腰と腹部の運動を行い、かつ腕、胸などの関連する部位の運動を行うことができる。この場合、弾性支柱（３）によって発生する付勢力で運動の効果を高めることができ、また身体の動作を補助することができる。
【００２３】
また、図６に開示するように、使用者は床などに仰向けになり、両足、もしくは片足をコの字状フレーム（２）上に置き、弾性支柱（３）を押し圧し、開放する動作を繰反復して行うことができる。この場合、大腿部、臀部などの筋肉の運動を行うことができる。
【００２４】
さらに、図７-１、７―２に開示するように、椅子の脚でベース（１）を抑え、椅子に掛けた状態で片足、もしくは両足をコの字状フレーム（２）上に置き、弾性支柱（３）を押し圧し、開放する動作を繰反復して行うことができる。この場合、大腿後部、臀部などの日常運動量の少ない部位の筋肉の運動を行うことができ、泌尿系統、及び肛門の筋肉の運動効果が得られる。
【００２５】
また、コの字状フレーム（２）は、上述のとおり水平部の両端縁から挿入端（２０）に至る部分を所定の角度に湾曲させて操作の便宜を図る。よって、図８に開示するようにコの字状フレーム（２）を逆向きに設けた場合、支持部（２１）の位置が高くなり、使用者のコの字状フレーム（２）を下方に押し込む動作が大きくなり、相対的に弾性支柱（３）の付勢力も増す、このため使用者の運動に必要とする力も増加して運動効果がさらに高まる。
【実施例２】
【００２６】
図９にこの考案の第２の実施例を開示する。図面によれば、ベース（８）と、２本の弾性支柱（３）と、コの字状フレーム（２）と、Ｔ字状のハンドル部（５）によって構成する。弾性支柱（３）と、コの字状フレーム（２）は第１の実施例と同様であるので、ここでは詳述しない。ベース（８）は左右２枚のベース板（８１）（８２）をヒンジ（７）を回動自在に連結してなる。また、それぞれのベース板（８１）（８１）は、固定座（６）と、固定座（６）に回動自在に設ける固定リング（６１）と、該固定リング（６１）に設ける固定バンド（６２）と具える。該固定バンド（６２）は、例えば面ファスナーなどの固定手段を設ける。
【００２７】
Ｔ字状のハンドル部（５）は、コの字状フレーム（２）の支持部（２１）の略中央の位置に取り付け座（２３）を設け、該取り付け座（２３）に一端を固定する。即ち、ハンドル部（５）を水平のグリップ部（５１）と、該グリップ部（５１）に対して垂直に連結する連結桿（５２）とによって構成し、該連結桿（５２）の一端に螺刻してネジ山（５２１）を形成する。また、該取り付け座（２３）には、内壁に螺刻した取り付け孔（２３１）を形成し、連結桿（５２）の螺刻した一端を螺合させてハンドル部（５）を取り付け座（２２）に連結する。もしくは、図１１に開示するように、連連結桿（５２）の一端に略Ｕ字状の連結部（５２２）を形成してコの字状フレーム（２）の支持部（２１）の略中央の位置に直接ハンドル部（５）を固定してもよい。
【００２８】
第２の実施例による健康器は、第１の実施例と同様に腰、下肢の運動に効果があるのみならず、下肢のリハビリテーションを行う場合に適する。図１０−１、１０−２に開示するように、車椅子をベース（８）上に移動させ、固定座（６）の固定バンド（６１）で車椅子を固定し、両足、もしくは片足でコの字状フレーム（２）を押し込む動作を反復して行う。この場合、リハビリテーションを行う患者は、下肢の動作が不便であるため、ハンドル部（５）を利用して足の動作の補助とし、かつ弾性支柱（３）の付勢力の作用で下肢を運動させることができる。したがって、筋肉の萎縮を防ぎ、脊髄と下肢の神経を刺激して徐々に筋肉を活性化させ。リハビリテーションの目的を達成することができる。
【００２９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３０】
【図１】この考案による運動器の斜視図である。（実施例１）
【図２】図１に開示する運動器の分解図である。
【図３】図１に開示する運動器におけるコの字状フレームと、弾性支柱との連結構造を示した局部断面図である。
【図４】図１に開示する運動器におけるベースの構造を示した断面図である。
【図５】図１に開示する運動器の使用態様を示した説明図である。
【図６】図１に開示する運動器の他の使用態様を示した説明図である。
【図７−１】図１に開示する運動器のその他の使用態様を示した説明図である。
【図７−２】図１に開示する運動器のその他の使用態様を示した説明図である。
【図８】図１に開示する運動器の別の使用態様を示した説明図である。
【図９】第２の実施例による運動器の斜視図である。
【図１０−１】図９に記載する運動器の使用態様を示した説明図である。
【図１０−２】図９に記載する運動器の使用態様を示した説明図である。
【図１１】第２の実施例におけるハンドル部の他の形態を示した斜視図である。
【符号の説明】
【００３１】
１          ベース
１１        ベースプレート
１１０      嵌合溝
１２        側面板
１２０      嵌合部
１２１      突起状部
１２２      底面カバー
１３        指示板
１３０      取り付け座
１３１      ナット
１３２      貫通孔
１４        スリーブ
１４１      開口端
２          コの字状フレーム
２１        支持部
２２        挿入孔
２１０      水平部カバー
２３        取り付け座
２３１      取り付け孔
３          弾性支柱
３１        上部管体
３１０      挿入開口端
３１１      ネジ山
３１２      位置決め孔
３２        弾性体カバー
３３        弾性部材
３４        下部管体
３４１      ネジ山
３４２      挿入端
４          位置決め部材
４１        高さ調整ピン
４２        弾性可動部
４３        固定部2
５          ハンドル部
５１        グリップ部
５２        連結桿
５２１      ネジ山
６          螺紋端341
６１        固定リング
６２        固定バンド
７          ヒンジ
８          ベース
８１、８２  ベース板
【図１】
0003104572.tif 000003
【図２】
0003104572.tif 000004
【図３】
0003104572.tif 000005
【図４】
0003104572.tif 000006
【図５】
0003104572.tif 000007
【図６】
0003104572.tif 000008
【図７−１】
0003104572.tif 000009
【図７−２】
0003104572.tif 000010
【図８】
0003104572.tif 000011
【図９】
0003104572.tif 000012
【図１０−１】
0003104572.tif 000013
【図１０−２】
0003104572.tif 000014
【図１１】
0003104572.tif 000015